(57)【要約】【課題】  遊技機の軽量化を図るとともに、透明板の取付作業コストを低減することのできる遊技機を提供すること。【解決手段】  遊技球が流下する遊技領域２ａを有する遊技盤２を備えた遊技機本体部３と、遊技機本体部３に対して開閉可能に設けられ、開口４ａを備えた透明板保持枠４と、この透明板保持枠４に設けられ、開口４ａに位置して遊技領域２ａを視認可能にする透明板９とを備えた遊技機であり、透明板９を樹脂により形成する。【選択図】        図４
2007029532.tif 000002
【特許請求の範囲】
【請求項１】
遊技球が流下する遊技領域を有する遊技盤を備えた遊技機本体部と、
前記遊技機本体部に開閉可能に設けられ、開口を備えた透明板保持枠と、
前記透明板保持枠に設けられ、前記開口に位置して前記遊技領域を視認可能にする透明板とを備え、
前記透明板は、樹脂により形成されていることを特徴とする遊技機。
【請求項２】
前記透明板保持枠は樹脂により形成されており、
前記透明板は、前記透明板保持枠と一体成形により当該透明板保持枠に設けられていることを特徴とする請求項1記載の遊技機。
【発明の詳細な説明】
【技術分野】
【０００１】
本発明は遊技機に関し、特に、透明板保持枠に設けられた透明板の軽量化に関するものである。
【背景技術】
【０００２】
遊技機は、島設備側に取り付けられる木製のベース枠に、主な電子部品が搭載された遊技機本体部が開閉自在に軸支されている。遊技機本体部には遊技球が流下する遊技領域を有する遊技盤が取り付けられている。そして、従来の遊技機では、例えば特許文献１に記載のように、透明板であるガラス板の嵌め込まれた透明板保持枠が遊技機本体部に開閉自在に設けられており、ガラス板を通して遊技領域が視認可能になっている。
【特許文献１】特開２００５−０２７９０８号公報
【発明の開示】
【発明が解決しようとする課題】
【０００３】
このような従来の遊技機では、ガラス板は重量があるために、遊技機そのもののが重くなっていた。
【０００４】
また、このガラス板を上方から降下させるようにして透明板保持枠に取り付けられたレールに嵌め込んで装着するために、ガラス板の取付作業コストがかかっていた。
【０００５】
そこで、本発明は、遊技機の軽量化を図るとともに、透明板の取付作業コストを低減することのできる遊技機を提供することを目的とする。
【課題を解決するための手段】
【０００６】
上記課題を解決するため、請求項１に記載の本発明の遊技機は、遊技球が流下する遊技領域を有する遊技盤を備えた遊技機本体部と、前記遊技機本体部に開閉可能に設けられ、開口を備えた透明板保持枠と、前記透明板保持枠に設けられ、前記開口に位置して前記遊技領域を視認可能にする透明板とを備え、前記透明板は樹脂により形成されていることを特徴とする。
【０００７】
これにより、遊技機の軽量化が図れるとともに、透明板の取付作業コストを低減することができる。
【０００８】
請求項２に記載の本発明は、請求項１に記載の発明の構成に加えて、前記透明板保持枠は樹脂により形成されており、前記透明板は、前記透明板保持枠と一体成形により当該透明板保持枠に設けられていることを特徴とする。
【０００９】
これにより、透明板を透明板保持枠と一体にしたことから、部品点数を減少できるので、製造コストを削減することが可能になる。
【発明の効果】
【００１０】
本発明によれば以下の効果を奏することができる。
【００１１】
すなわち、本発明によれば、透明板をガラスよりも軽量な樹脂製としたので、遊技機の軽量化が図れるとともに、透明板の取付作業コストを低減することが可能になる。
【発明を実施するための最良の形態】
【００１２】
以下、本発明を実施するための最良の形態を、図面を参照しつつさらに具体的に説明する。ここで、添付図面において同一の部材には同一の符号を付しており、また、重複した説明は省略されている。なお、ここでの説明は本発明が実施される最良の形態であることから、本発明は当該形態に限定されるものではない。
【００１３】
図１は本発明の一実施の形態である遊技機を示す斜視図、図２は図１の遊技機の透明板保持枠を示す正面図、図３は図１の遊技機の遊技盤を示す正面図、図４は図１の遊技機における透明板保持枠を透明板とともに裏面側から示す斜視図、図５は図１の遊技機における透明板保持枠を透明板を除いて裏面側から示す斜視図、図６は図１の遊技機における透明板保持枠の上下方向の断面図、図７は本発明の変形例としての遊技機における透明板保持枠を透明板とともに裏面側から示す斜視図、図８は本発明の変形例としての遊技機における透明板保持枠を透明板を除いて裏面側から示す斜視図、図９は本発明の変形例としての遊技機における透明板保持枠の上下方向の断面図、図１０は本発明の他の変形例としての遊技機における透明板保持枠を透明板とともに裏面側から示す斜視図である。
【００１４】
最初に、パチンコ遊技機（遊技機）１の構成について、図１、図２および図３を参照しながら説明する。
【００１５】
図１、図２および図３に示すように、パチンコ遊技機（遊技機）１は、遊技盤２（図３）が装着されるベースドア３ａがヒンジ（図示せず）を介して島設備に固定されるベース枠３ｂに回動可能に取り付けられ（すなわち、ベースドア３ａは、ベースドア３ａの一方端を回動支点として支持されて当該ベース枠３ｂに開閉自在に支持されて装着される。）、これらベースドア３ａおよびベース枠３ｂで遊技機本体部３が構成されている。そして、このような遊技機本体部３のベースドア３ａに対して、スピーカ８ａ，８ｂ、遊技盤２を視認可能に被う透明板保持枠４、皿ユニット５、およびハンドル７が備えられている。
【００１６】
これら透明板保持枠４および皿ユニット５は樹脂からなり、その一端が遊技機本体部３に開閉可能に軸支されており、他端が遊技機本体部３に係合するようになっている。なお、透明板保持枠４および皿ユニット５は、樹脂ではなく、金属製のベース板の表面に所定形状の成形された樹脂を固定したものなどであってもよい。
【００１７】
遊技盤２（図３）は、レール６に包囲され、遊技球の流下が可能な遊技領域２ａを有している。そして、その遊技領域２ａには、多数の遊技くぎや風車などの障害物（図示せず）、一般入賞口１２、通過ゲート１３、大入賞口１５、アウト口１６、始動口１４、普通電動役物１８などの遊技部材が配置されている。
【００１８】
また、遊技盤２の背面には、演出画像（例えば、遊技状態に対応したアニメーションやその他の報知情報など）等を表示可能な表示領域２１ａを有する液晶表示装置（表示手段）２１が配置されている。
【００１９】
遊技盤２が透明である本実施の形態では、液晶表示装置２１の表示領域２１ａが遊技盤２を通して視認可能に配置されている。なお、液晶表示装置２１にかえて、例えばＣＲＴ（陰極線管）あるいはプラズマディスプレイ等を用いることもできる。
【００２０】
ここで、一般入賞口１２は、遊技球が入賞すると所定の数の遊技球が払い戻される装置、通過ゲートは、遊技球が通過したことを契機として普通図柄表示領域に表示される複数の図柄を変動および停止させるための装置である。
【００２１】
大入賞口１５は、扉が開放して遊技球の受け入れが容易となる第１の状態と、扉が閉じて遊技球の受け入れが困難となる第２の状態とに切替が可能となっている。
【００２２】
さらに、大入賞口１５は、内部に遊技球の通過が可能な通過領域が設けられている。なお、本実施の形態において、大入賞口１５が第１の状態としてから第２の状態に切り替えられるまでの動作のことをラウンド動作という。
【００２３】
普通電動役物１８は、可変翼１８ａ，１８ｂおよび遊技球の受け入れ口を有しており、遊技球が入賞し易い開状態と遊技球が入賞し難い閉状態とに変化可能になっている。
【００２４】
ここで、普通電動役物１８における閉状態とは、可変翼１８ａ，１８ｂが閉じて遊技球が普通電動役物１８に入りにくくなる状態のことである。一方、開状態とは、可変翼１８ａ，１８ｂが逆八字状に開放して遊技球が普通電動役物１８に入りやすくなる状態のことである。なお、通常時において普通電動役物１８は、閉状態となっている。
【００２５】
なお、上述の始動口１４や普通電動役物１８に遊技球が入賞すると、表示領域２１ａに表示される特別図柄が変動および停止するようになっている。
【００２６】
また、アウト口１６は、一般入賞口１２、始動口１４、普通電動役物１８、大入賞口１５の何れにも入賞しなかった遊技球が流入して回収される装置である。
【００２７】
上述したような遊技盤２の下方には、図１に示すように皿ユニット５が配置されている。皿ユニット５の上部に、払い出された遊技球および遊技領域２ａに打ち込まれる遊技球が貯留される上皿５ａが配置されているとともに、皿ユニット５の下部に、払い出しにより上皿５ａからオーバーフローした遊技球が貯留される下皿５ｂが配置されている。また、上皿５ａの所定の位置に、遊技終了時などにおいて上皿５ａに貯留された遊技球を下皿５ｂに移動させて取り出す場合に操作されるシャッタレバー８が設けられている。
【００２８】
皿ユニット５の右側には、レール６を介して遊技領域２ａへ遊技球を打ち込む際に回動操作されるハンドル７が設けられている。ハンドル７には遊技球の発射を停止するストップボタン（図示せず）が設けられている。
【００２９】
遊技者が上記ハンドル７を回転して打ち出し操作をすることにより、上皿５ａ中の遊技球が、発射球供給装置（図示せず）により発射装置に送出されて、当該発射装置によりレール６に沿って遊技領域２ａに発射される。
【００３０】
通過ゲート１３は、通過する遊技球を検出するようになっている。この通過ゲート１３を通過した遊技球は保留記憶が可能となっており、この保留記憶情報に基づいて、普通図柄の変動表示が行なわれる。また、遊技領域２ａの右側上部には、通過ゲートの保留記憶個数を表示する４個の普通図柄記憶ＬＥＤ（図示せず）が設けられている。この普通図柄記憶ＬＥＤの点灯個数により、通過ゲートを通過した遊技球の保留記憶個数を表示することができる。
【００３１】
上記普通図柄表示領域では、例えば２個の普通図柄が交互に点滅するようになっており、２個の普通図柄の点滅が終了（この点滅が終了するまでの時間は、通常遊技状態中においては３０秒間、確率変動状態中においては６秒間である。）して「当り」が表示された場合（以下、「普通当り時」という。）に、普通電動役物１８の可変翼１８ａ，１８ｂが所定時間だけ逆八字状に開放して、遊技球を受け入れ易い開状態に切り換えられる（開放時間は、通常の遊技状態中においては０．２秒間、一方、確率変動状態中である場合は、２．２秒間の開放が２回行われる。）。
【００３２】
また、始動口１４や普通電動役物１８への入賞球は入賞記憶可能となっており、この入賞記憶に基づいて特別図柄の変動表示が行なわれる。遊技領域２ａの中央上部には、始動口１４や普通電動役物１８への入賞記憶個数を表示する４個の特別図柄記憶ＬＥＤ（図示せず）が設けられている。この特別図柄記憶ＬＥＤの点灯個数により、始動口１４や普通電動役物１８への入賞記憶個数を表示することができる。
【００３３】
図２に示すように、透明板保持枠４には開口４ａが形成されており、前述した遊技盤２の遊技領域２ａを視認可能にするため、透明板９がこの開口４ａに位置して設けられている。
【００３４】
ここで、透明板保持枠４には、透明板９を装着するための透明板取付レール３０が取り付けられている。
【００３５】
図４〜図６に示すように、透明板取付レール（レール）３０は、透明板保持枠４の裏面において開口４ａの周縁に取り付けられており、透明板９を着脱可能に嵌装する構成を有している。
【００３６】
本実施の形態では、透明板取付レール３０は、透明板保持枠４裏面の開閉側に突出して遊技機の高さ方向にわたって備えた開閉側透明板取付レール３０ａと、透明板保持枠４裏面の回動軸側に突出して遊技機の高さ方向にわたって備えた回動軸側透明板取付レール３０ｂと、透明板保持枠４裏面の下部分側に突出して備えた下部側透明板取付レール３０ｃとで構成されている。そして、上方を開放することにより、透明板９が上方から降下させて透明板取付レール３０に着脱可能に嵌装されるようになっている。
【００３７】
そして、開閉側透明板取付レール３０ａおよび回動軸側透明板取付レール３０ｂには、端部を開放した１本の直線状の嵌装溝３０ａ−１，３０ｂ−１が枠内面側にて透明板保持枠４の高さ方向にわたる形状に構成されている。
【００３８】
すなわち、開閉側透明板取付レール３０ａは、開口４ａ（回動軸側透明板取付レール３０ｂ側）に向けて開放した１本の嵌装溝３０ａ−１を内面側に備えて開口４ａの高さよりも長い長尺状に形成されており、嵌装溝３０ａ−１の上下端部は上下方向に向けて開放されている。また、回動軸側透明板取付レール３０ｂは、開口４ａ（開閉側透明板取付レール３０ａ側）に向けて開放した１本の嵌装溝３０ｂ−１を内面側に備えて開口４ａの高さよりも長い長尺状に形成されており、嵌装溝３０ｂ−１の上下端部は上下方向に向けて開放されている。そして、開閉側透明板取付レール３０ａの嵌装溝３０ａ−１と回動軸側透明板取付レール３０ｂの嵌装溝３０ｂ−１とは、その開口側が相対向して位置している。
【００３９】
図６に示すように、開閉側透明板取付レール３０ａの嵌装溝３０ａ−１の上端と回動軸側透明板取付レール３０ｂの嵌装溝３０ｂ−１の上端は、透明板９が当該嵌装溝３０ａ−１，３０ｂ−１に容易に嵌装できるように、上方に向けて広げられている。
【００４０】
なお、図５に示すように、下部側透明板取付レール３０ｃにはこのような嵌装溝は形成されておらず、上方から嵌め込まれて開閉側透明板取付レール３０ａと回動軸側透明板取付レール３０ｂとに両側が支持された透明板９の下端面を支持するようになっている。
【００４１】
さて、このような透明板取付レール３０に装着される透明板９は、例えば厚さが３ｍｍのアクリル樹脂（樹脂）からなる。そして、前述のように、それぞれ１本ずつ直線状に形成された開閉側透明板取付レール３０ａの嵌装溝３０ａ−１と回動軸側透明板取付レール３０ｂの嵌装溝３０ｂ−１とに嵌め込まれることによって、１枚の透明板９が開閉側透明板取付レール３０ａと回動軸側透明板取付レール３０ｂとに両側が支持され、下部側透明板取付レール３０ｃに下端面が支持される。なお、後述する場合を含め、透明板９の厚さはここに記載の寸法に限定されるものではないことは、もちろんである。
【００４２】
なお、透明板９は、樹脂製であれば足り、前述したアクリル樹脂に限定されるものではなく、高分子化合物からなる種々の樹脂を適用することができる。但し、透明板９の前面側は遊技者やメンテナンス時の作業者等により、裏面側は流下する遊技球により、ともに傷や衝撃が加わりやすいので、透明板９に使用される樹脂としては、例えばポリカーボネートのように、耐衝撃性に優れて、傷つきにくく割れにくい特性を有するものを用いるのが望ましい。
【００４３】
このように、本実施の形態の遊技機によれば、透明板９をガラスよりも軽量な樹脂製としたので、遊技機の軽量化を図ることができる。
【００４４】
また、ガラスよりも軽量で、しかもガラスよりも割れるおそれの少ない樹脂製の透明板９を上方から降下させるようにして透明板保持枠４に取り付けられた透明板取付レール３０に嵌め込んで装着するようにしているので、透明板９の取付作業コストを低減することが可能になる。
【００４５】
なお、上述した開閉側透明板取付レール３０ａと回動軸側透明板取付レール３０ｂの嵌装溝を２本ずつ平行に設け、前後方向に２枚の透明板を装着することもできるが、本実施の形態のように、樹脂製の透明板９を１枚のみ装着するようにすれば、さらなる軽量化と部品点数の減少を図ることができる。
【００４６】
ここで、樹脂製の透明板９は、ガラス製の透明板に比べて軽量である。したがって、樹脂製の透明板９の厚さを厚くしても、従来のガラス製の透明板を厚くした場合のように重量的な負荷が透明板保持枠４に加わらないので、より厚くすることができる。つまり、厚さに対する自由度が大きい。
【００４７】
従来の一般的な遊技機においては、２枚のガラス製の透明板の間隔は約１ｃｍであり、透明板の厚さはそれぞれ３ｍｍである。したがって、２枚のガラス製の透明板の全体の厚さは約１．６ｃｍとなる。これに対して、本実施の形態では、図７〜図９に示す場合には、透明板９を約１．５ｃｍのアクリル樹脂製としている。
【００４８】
このように、樹脂製の透明板９を厚くすることにより、ガラスを用いる場合に比べて重量の増加が抑制されつつ、強度が高くなって、より一層破損しにくくなる。
【００４９】
また、樹脂製の透明板９を厚くすることにより、透明板９に磁石等を近づけてゴト行為を行おうとしても、磁石と遊技球との距離がよりとれるため、遊技球を磁力によりコントロールすることが困難になる。これにより、磁石等によるゴト行為も未然に防止することが可能になる。
【００５０】
さて、以上の説明においては、樹脂製の透明板９を透明板取付レール３０に装着するようにしているが、図１０に示すように、透明板保持枠４を樹脂により形成し、透明板９を透明板保持枠４と一体成形により当該透明板保持枠に設けるようにしてもよい。
【００５１】
すなわち、予め透明板保持枠４を成形により得ておき、当該透明板保持枠４と透明板９とのキャビティが形成された金型に透明板保持枠４をセットする。そして、金型を閉じて透明樹脂をキャビティ内に注入して透明板９を形成すれば、透明板９と透明板保持枠４とが一体になる。
【００５２】
このように、透明板９を透明板保持枠４と一体にすれば、透明板９単体としての部品点数を減少できるので、製造コストを削減することが可能になる。
【産業上の利用可能性】
【００５３】
以上の説明においては、本発明を遊技機の一つであるパチンコ遊技機に適用した場合が説明されているが、本発明はこれに限定されるものではなく、パチスロ機、あるいはゲームセンターに設置された各種ゲーム機など、種々の遊技機に適用することが可能である。
【図面の簡単な説明】
【００５４】
【図１】本発明の一実施の形態である遊技機を示す斜視図である。
【図２】図１の遊技機の透明板保持枠を示す正面図である。
【図３】図１の遊技機の遊技盤を示す正面図である。
【図４】図１の遊技機における透明板保持枠を透明板とともに裏面側から示す斜視図である。
【図５】図１の遊技機における透明板保持枠を透明板を除いて裏面側から示す斜視図である。
【図６】図１の遊技機における透明板保持枠の上下方向の断面図である。
【図７】本発明の変形例としての遊技機における透明板保持枠を透明板とともに裏面側から示す斜視図である。
【図８】本発明の変形例としての遊技機における透明板保持枠を透明板を除いて裏面側から示す斜視図である。
【図９】本発明の変形例としての遊技機における透明板保持枠の上下方向の断面図である。
【図１０】本発明の他の変形例としての遊技機における透明板保持枠を透明板とともに裏面側から示す斜視図である。
【符号の説明】
【００５５】
１  パチンコ遊技機（遊技機）
２  遊技盤
２ａ  遊技領域
３  遊技機本体部
３ａ  ベースドア
３ｂ  ベース枠
４  透明板保持枠
４ａ  開口
５  皿ユニット
５ａ  上皿
５ｂ  下皿
６  レール
７  ハンドル
８ａ，８ｂ  スピーカ
８  シャッタレバー
９  透明板
１２  一般入賞口
１３  通過ゲート
１４  始動口
１５  大入賞口
１６  アウト口
１８  普通電動役物
１８ａ，１８ｂ  可変翼
２１  液晶表示装置（表示手段）
２１ａ  表示領域
３０  透明板取付レール（レール）
３０ａ  開閉側透明板取付レール
３０ａ−１  嵌装溝
３０ｂ  回動軸側透明板取付レール
３０ｂ−１  嵌装溝
３０ｃ  下部側透明板取付レール
【図１】
2007029532.tif 000003
【図２】
2007029532.tif 000004
【図３】
2007029532.tif 000005
【図４】
2007029532.tif 000006
【図５】
2007029532.tif 000007
【図６】
2007029532.tif 000008
【図７】
2007029532.tif 000009
【図８】
2007029532.tif 000010
【図９】
2007029532.tif 000011
【図１０】
2007029532.tif 000012